(57)【要約】【目的】本発明は、災害発生して救急車両の出動時に情報を送信する情報送信プログラムに関し、災害発生時に、救急車両の出動に併せて災害発生地点の近傍に居あわせた資格所有者に電子メールで到着時刻および災害や到着時刻に最適な処置方法などの応急手当情報を送信し、被災者の救命率を向上させると共に適切な応急手当が受けられるようにすることを目的とする。【構成】  救急車両の到着までの時間で実施可能、且つ、発生した災害に適切な応急手当情報をマスタから抽出するステップと、抽出した応急手当情報を、災害地点の近傍の端末に電子メールで送信するステップとを有する。【選択図】        図１
2007172124.tif 000002
【特許請求の範囲】
【請求項１】
コンピュータに、
消防車両の出動時に、発生した災害に適切な応急手当情報をマスタから抽出する抽出ステップと、
前記抽出した応急手当情報を、災害地点の近傍の端末に電子メールで送信する送信ステップと
を実行させることを特徴とする応急手当情報送信プログラム。
【請求項２】
前記抽出ステップは、発生した災害に適切な応急手当情報として、発生した災害の種類および災害場所に到着するまでの到着時間に該当する応急手当情報をマスタから抽出することを特徴とする請求項１記載の応急手当送信プログラム。
【請求項３】
前記抽出ステップは、応急手当情報として、送信する端末の所有者が保持する資格に応じた応急手当情報を前記マスタから抽出することを特徴とする請求項１あるいは請求項２記載の応急手当情報送信プログラム。
【発明の詳細な説明】
【技術分野】
【０００１】
本発明は、応急手当情報を送信する応急手当情報送信プログラムに関するものである。
【背景技術】
【０００２】
従来、火災などの災害が発生した場合、１１９番で消防署が受け付け、災害地点に消防車両（消防車、救急車など）が出動し、災害を受けた人の手当て、更に病院への搬送を行っている。特許文献１には、本部と各署が持つ消防救急情報を一元化して共有し、救急活動を支援する技術が記載されている。
【特許文献１】特開２００３−２５６９６３号公報
【発明の開示】
【発明が解決しようとする課題】
【０００３】
しかし、従来は、消防車両が何時に現場に到着するのかの情報に応じた、適切な救急措置を講ずるに充分な情報（到着時刻、災害にあった処置方法など）が得られず、たとえ現場に救急救命資格所有者が居合わせても、適切かつ充分な救急活動が実施出来ないという問題があった。
【課題を解決するための手段】
【０００４】
本発明は、これらの問題を解決するため、災害発生時に、消防車両の出動に併せて災害発生地点の近傍に居あわせた救急救命資格所有者に電子メールで到着時刻および災害や到着時刻に最適な処置方法などの応急手当情報を送信するようにしている。
【発明の効果】
【０００５】
本発明は、災害発生時に、消防車両の出動に併せて災害発生地点の近傍に居あわせた救急救命資格所有者に電子メールで到着時刻および災害や到着時刻に最適な処置方法などの応急手当情報を送信することにより、被災者の救命率を向上させると共に適切な応急手当が受けられるようにすることが可能となる。
【発明を実施するための最良の形態】
【０００６】
本発明は、災害発生時に、消防車両の出動に併せて災害発生地点の近傍に居あわせた救急救命資格所有者に電子メールで到着時刻および災害や到着時刻に最適な処置方法などの応急手当情報を送信し、被災者の救命率を向上させると共に適切な応急手当が受けられるようにすることを実現した。
【実施例１】
【０００７】
図１は、本発明のシステム構成図を示す。
図１において、消防指令管制システム０は、災害発生情報の通知に基づき消防車両に出動指令を出す、従来から存在するシステムである。
【０００８】
災害発生情報受付手段０１は、災害発生情報を受け付けるものであって、例えば１１９番通報があったときに災害種別、災害発生地点等の災害発生情報を受け付けるものである。
【０００９】
出動指令手段０２は、災害発生情報受付手段０１で受け付けた災害発生情報に基づき、消防車両に出動指令を出すものである。
【００１０】
消防車両出動計画マスタ０３は、災害時に出動させる消防車両を登録したものであって、図３の（ａ）に示すように、災害種別、災害エリア及び出動車両等の各項目の情報を含む消防車両出動計画レコードからなるものである。
【００１１】
署所マスタ０４は、署所が管轄する地域を予め登録したものであって、図３の（ｂ）に示すように、署所名称、所在地、管轄範囲、所在地座標Ｘ、所在地座標Ｙ等の各項目の情報を含む署所レコードからなるものである。
【００１２】
応急手当情報システム１は、消防指令管制システム０で消防車両の出動指令が出た場合に、被災者に適切な応急手当を実施するための応急手当情報を送信するものである。
【００１３】
指令受付手段２は、消防指令管制システム０からの出動指令を受け付けるものである（図２から図５を用いて後述する）。
【００１４】
災害地点特定手段３は、後述する住所マスタ１０を参照し、消防指令管制システム０が受信した災害発生情報に基づき災害発生地点を特定するものである（図２から図５を用いて後述する）。
【００１５】
交差点算出手段４は、災害地点特定手段３によって災害発生地点が特定されたときに、後述する交差点マスタ１１を参照して、当該災害発生地点に最寄りの交差点を求めるものである（図２から図５を用いて後述する）。
【００１６】
到着時間算出手段５は、後述する出動状況マスタ１２および現場到着マスタ１３を参照して、消防署などから交差点算出手段４で算出した交差点までの消防車両の到達時間を算出するものである（図２から図５を用いて後述する）。
【００１７】
応急手当算出手段６は、後述する応急手当マスタ１４を参照し、到着時間算出手段５で算出した到達時間と、災害発生情報に含まれる災害の種類などに基づき適切な応急手当情報を求めるものである（図２から図５を用いて後述する）。
【００１８】
メール送信手段７は、後述するメールアドレスマスタ１５を参照し、応急手当算出手段６によって求めた適切な応急手当情報を電子メールで、災害発生地点の近傍に居る救急救命資格所持者の端末に向けて送信するものである（図２から図５を用いて後述する）。
【００１９】
住所マスタ１０は、住所の座標（緯度経度等）を登録したものであって、図３の（ｃ）に示すように、住所、所在地座標Ｘ、所在地座標Ｙ等の各項目の情報を含む住所レコードからなるものである。
【００２０】
交差点マスタ１１は、交差点の座標（緯度経度等）を登録したものであって、図３の（ｄ）に示すように、交差点名称、所在地座標Ｘ、所在地座標Ｙ等の各項目の情報を含む交差点レコードからなるものである。
【００２１】
出動状況マスタ１２は、消防車両の出動状況を登録して管理するものであって、図３の（ｅ）に示すように、車両名称、出動指令時刻、交差点、到着予定時刻、搬送先等の各項目の情報を含む出動状況レコードからなるものである。
【００２２】
現場到着マスタ１３は、ある点から他の地点に消防車両が到着する時間を予め測定して登録したものであって、図３の（ｆ）に示すように区間、所要時間、日種別、時間帯、天候等の各項目の情報を含む現場到着レコードからなるものである。
【００２３】
応急手当マスタ１４は、応急手当の情報を予め登録したものであって、図４の（ｇ）に示すように、災害種別、最低手当時間、手当限度時間、手当分類、手当、留意事項、必要器具、実施可能資格等の各項目の情報を含む応急手当レコードからなるものである。尚、最低手当時間は、応急手当の効果が出始めるまでの時間を意味し、救急車到着時間≧最低手当時間となった場合は、救急車が到着するまでに手当する効果があるが、救急車到着時間＜最低手当時間となった場合は、余計な手当てによる病状の悪化を防ぎ、救急隊員（救急救命士など）による手当てを優先させるため行わないものである。
【００２４】
メールアドレスマスタ１５は、救急看護などの資格を取得した人が所持する端末のメールアドレスとその資格を予め登録したものであって、図４の（ｈ）に示すように、登録者氏名、資格、メールアドレスの各項目の情報を含むメールアドレスレコードからなるものである。
【００２５】
次に、図２のフローチャートの順番に従い、図１の構成の動作を順次詳細に説明する。
図２は、本発明の動作説明フローチャートを示す。
【００２６】
図２において、Ｓ１では、消防指令管制システム０の災害発生情報受付手段０１が災害種別と災害発生場所を含む災害発生情報の受け付けに基づき、出動指令手段０２が、消防車両出動計画マスタ０３を参照して災害種別と災害発生場所から出動車両を、署所マスタ０４を参照して当該災害場所を管轄する消防署を決定し、該当の消防署に該当の出動車両の出動指令を発する。例えば、消防指令管制システム０が、８月３日１５時５０分にＡ町１丁目１番地で火災が発生した旨の災害発生情報を受信すると、署所マスタ０４を参照して、管轄範囲にこのＡ町を含む中消防署を、当該災害場所を管轄する消防署を求め、消防車両出動計画マスタ０３を参照して災害種別を火災とし、災害エリアをＡ町１丁目とする救急１号車を出動車両として決定し、出動指令を出す。
【００２７】
Ｓ２では、応急手当情報システム１の指令受付手段２が指令管制システム０の出動指令を受け付け、災害地点特定手段３が住所マスタ１０を参照して、災害発生情報の災害発生場所の座標を求める。
【００２８】
Ｓ３では、応急手当情報システム１の交差点算出手段４が、災害地点特定手段３が特定した災害発生場所の座標（Ｘ１，Ｙ１）を元に交差点マスタ１１を参照し、災害発生場所の座標（Ｘ１、Ｙ１）に一番近い交差点を求める（図５参照）。
【００２９】
Ｓ４では、応急手当情報システム１の到着時間算出手段５が、出動状況マスタ１２を参照し、Ｓ１で指令管制システム０が出動指令を出した消防車両のレコードを検索し、Ｓ５で検索されたレコードがあるか判別する。Ｓ５で検索されたレコードがない（ＮＯ）と判別した場合にはＳ６に進み、Ｓ５で検索されたレコードがある（ＹＥＳ）と判別した場合にはＳ７に進む。
【００３０】
Ｓ６では、応急手当情報システム１の到着時間算出手段５が、現場到着マスタ１３を参照し、現在の日種別、時間帯、天候が該当する、出動指令対象の消防署からＳ３で求めた交差点までの所要時間を求めると共に、現在時刻に加算し到着時刻を算出して出動状況マスタ１２の情報を更新記憶する。
【００３１】
Ｓ７では、応急手当情報システム１の到着時間算出手段５が、Ｓ４で検索したレコードの内、最新の到着予定時刻を持つレコードを選択し、Ｓ８で、現場到着マスタ１３を参照し、現在の日種別、時間帯、天候が該当する、選択したレコードの交差点から搬送先までの所要時間と、搬送先からＳ３で求めた交差点までの所要時間を求め、更に所定の搬送作業時間を、選択したレコードの到着予定時刻にそれぞれ加算し、到着予定時刻を算出し、Ｓ９でこの到着予定時刻から現在時刻を減算して所要時間を算出すると共に、出動状況マスタ１２の情報を更新記憶する。
【００３２】
以上のＳ１からＳ９によって、消防指令管制システム０から出動指令が出たときに、応急手当情報システム１は、災害発生場所に近い交差点への出動指令対象の消防車両の到着時刻及び所要時間を算出することが可能となる。
【００３３】
Ｓ１０では、応急手当情報システム１の応急手当算出手段６が、応急手当マスタ１４を参照して、災害種類が該当し、かつ、到着時間算出手段５が求めた所要時間が最低手当時間以上となるレコードを検索し、Ｓ１１で該当レコードがあったか判別する。
【００３４】
Ｓ１１で無かったと判別すると処理を終了し、Ｓ１１であったと判別すると、Ｓ１２に進んで、応急手当情報システム１のメール送信手段７が、メールアドレスマスタ１５に登録されている全ての端末に、現在位置を把握するためにポーリング送信して位置情報を返信させ、災害発生場所を中心に半径１Ｋｍ以内にある端末を特定し、該当の端末のレコードを抽出する。
【００３５】
Ｓ１３では、応急手当情報システム１のメール送信手段７が、応急手当算出手段６が抽出したレコードの実施可能資格別にレコードの情報を選択し、災害発生場所、所要時間、到着予定時刻等の情報を設定した応急手当メールを編集して作成し、実施可能資格に該当する、Ｓ１２で抽出したメールアドレスマスタ１５のレコードの資格のメールアドレスに送信する。具体的には、応急手当マスタ１４の実施可能資格欄に「普通資格」が設定されている場合にはメールアドレスに対応づけて資格情報が「普通資格」のものに送信し、「普通資格」および「上級資格」が設定されている場合にはメールアドレスに対応づけて資格情報が「普通資格」および「上級資格」のものに送信し、「上級資格」が設定されている場合にはメールアドレスに対応づけて資格情報が「上級資格」のものに送信する。
【００３６】
出動状況マスタ１２の１レコード目について、例えば下記の情報を電子メールで送信する。
【００３７】
「１１９番受付１５時５０分：Ａ町１丁目１番地付近で火災が発生しました。
救急車は約６分４０秒程で到着します。
【００３８】
救急救命資格をお持ちの方は、以下の処置をお願いします。手当によっては手当時間の限度がありますので、限度以上の応急手当は避けてください。
【００３９】
心臓マッサージ  の処置をしてください。
心肺停止の場合は傷病者の顔色、目、嘔吐有無を確認してください。必要に応じて機材の使用をしてください。
【００４０】
手当限度時間  １０分  を超えての処置は止めてください。」
ここで、約６分４０秒は、現場到着マスタ１３の１レコード目の、中消防署からＡ町１丁目交差点までの到着時間６分４０秒を、「心臓マッサージ」、「心肺停止・・・機材の使用をしてください。」、および「手当限度時間１０分」は、応急手当マスタ１４の１レコード目のエントリの手当、留意事項、および手当限度時間を設定したものである。
【００４１】
また、上記通知の後、同じ車両にＡ町２丁目への出動指令が出た場合、例えば下記の情報を電子メールで送信する。
【００４２】
「１１９番受付１５時５２分：Ａ町２丁目付近で火災が発生しました。救急車は約３１分１２秒程で到着します。
【００４３】
救急救命資格をお持ちの方は、以下の処置をお願いします。手当によっては手当時間の限度がありますので、限度以上の応急手当は避けてください。
【００４４】
心臓マッサージ  の処置をしてください。
心肺停止の場合は傷病者の顔色、目、嘔吐有無を確認してください。必要に応じて機材の使用をしてください。
【００４５】
手当限度時間  １０分  を超えての処置は止めてください。
人口呼吸  の処置をしてください。
【００４６】
手当限度時間  ３０分  を超えての処置は止めてください。
氷アイシング（頭、顔面以外）  の処置をしてください。
【００４７】
出血次第では、薬局にて○○剤を手に入れ投与処置して下さい。
手当限度時間  １時間  を超えての処置は止めてください。」
ここで、約３１分１２秒は、現場到着マスタ１３から、出動状況マスタ１２の１レコード目の交差点であるＡ町１丁目交差点から搬送先である鈴木病院までの所要時間７分２２秒、鈴木病院からＡ町２丁目交差点までの所要時間９分１０秒、更に搬送作業時間を１０分として、出動状況マスタ１２の１レコード目の到着時刻１５時５６分４０秒に加算して到着予定時刻を算出し、この到着予定時刻から現在時刻１５時２０分を減算した３１分１２秒を、「心臓マッサージ」、「心肺停止・・・機材の使用をしてください。」、および「手当限度時間１０分」は、応急手当マスタ１６の１レコード目のエントリ、「人工呼吸」および「手当限度時間３０分」は、応急手当マスタ１６の２レコード目のエントリ、「氷アイシング（頭、顔面以外）」、「出血次第・・・処置して下さい。」、および「手当限度時間１時間」は、応急手当マスタ１６の３レコード目のエントリの留意事項、および手当限度時間を設定したものである。
【００４８】
なお、本実施例では搬送作業時間を１０分としているが、他の任意の値を定義可能である。
【００４９】
以上のＳ１０からＳ１３によって、消防車両が災害現場に到着するまでの所要時間に対応した適切な応急手当情報を抽出して災害現場の近傍に居合わせた救急救命資格保持者の端末に電子メールで送信して知らせ、被災者に迅速かつ消防車両の到着時間に対応した適切な救急処置を行って救命することが可能となる。
【００５０】
図５は、本発明の説明図を示す。これは、既述した図２のフローチャートで例として挙げた、出動指令（１）が１５時５０分に発せられ、２分後の１５時５２分に出動指令（２）が発せられたときの出動状況（経路）を模式的に表したものである。
【００５１】
・出動指令（１）による出動状況（経路）：中消防署から救急１号車が災害点（１）（Ｘ１、Ｙ１）に近いＡ町１丁目交差点（Ｘ２、Ｙ２）に向けて出動し、被災者を鈴木病院に搬送する。
【００５２】
・出動指定（１）を発してから２分後に発せられた出動指令（２）による出動状況（経路）：鈴木病院から災害点（２）（Ｘ３、Ｙ３）に近いＡ町２丁目交差点（Ｘ４、Ｙ４）に向けて出動する。
【００５３】
以上の経路で、図２で求めた各区間に要する時間、鈴木病院で被災者搬入に要する時間などを記載すると図５上に記載したようになる。これら時間をもとに救急１号車が災害点（１）や災害点（２）に到着する時間を求めてこれら求めた時間に応じて既述した図３の応急手当マスタ１４を参照して該当する応急手当情報、到着時間をこれら災害点（１）、（２）の近傍にそれぞれ居合わせた救急手当資格者の端末に電子メールでそれぞれ送信し、適切な応急手当を実施して救命率を向上させることが可能となる。
【００５４】
（付記１）  コンピュータに、
消防車両の出動時に、発生した災害に適切な応急手当情報をマスタから抽出する抽出ステップと、
前記抽出した応急手当情報を、災害地点の近傍の端末に電子メールで送信する送信ステップと
を実行させることを特徴とする応急手当情報送信プログラム。
【００５５】
（付記２）
前記抽出ステップは、発生した災害に適切な応急手当情報として、発生した災害の種類および災害場所に到着するまでの到着時間に該当する応急手当情報をマスタから抽出することを特徴とする付記１記載の応急手当送信プログラム。
【００５６】
（付記３）
前記抽出ステップは、応急手当情報として、送信する端末の所有者が保持する資格に応じた応急手当情報を前記マスタから抽出することを特徴とする付記１あるいは付記２記載の応急手当情報送信プログラム。
【００５７】
（付記４）
コンピュータが、
消防車両の出動時に、発生した災害に適切な応急手当情報をマスタから抽出する抽出ステップと、
前記抽出した応急手当情報を、災害地点の近傍の端末に電子メールで送信する送信ステップと
を実行することを特徴とする応急手当情報送信方法。
【産業上の利用可能性】
【００５８】
本発明は、災害発生時に、救急車両の出動に併せて災害発生地点の近傍に居あわせた救急救命資格所有者に電子メールで到着時刻、および災害や到着時刻に最適な処置方法などの救命情報を送信することにより、被災者の救命率を向上させると共に適切な応急手当が受けられるようにする応急手当情報送信プログラムに関するものである。
【図面の簡単な説明】
【００５９】
【図１】本発明のシステム構成図である。
【図２】本発明の動作説明フローチャートである。
【図３】本発明のマスタ例（その１）である。
【図４】本発明のマスタ例（その２）である。
【図５】本発明の説明図である。
【符号の説明】
【００６０】
０：消防指令管制システム
０１：災害発生情報受付手段
０２：出動指令手段
０３：消防車両出動計画マスタ
０４：署所マスタ
１：応急手当情報システム
２：指令受付手段
３：災害地点特定手段
４：交差点算出手段
５：到着時間算出手段
６：応急手当算出手段
７：メール送信手段
１０：住所マスタ
１１：交差点マスタ
１２：出動状況マスタ
１３：現場到着マスタ
１４：応急手当マスタ
１５：メールアドレスマスタ
【図１】
2007172124.tif 000003
【図２】
2007172124.tif 000004
【図３】
2007172124.tif 000005
【図４】
2007172124.tif 000006
【図５】
2007172124.tif 000007